(57)【要約】【課題】  フレーム材を特に変更することなく、手差し用給紙トレイを用紙受け入れ部側に入り込ませる状態でコンパクトに格納できるようにする。【解決手段】  前側板６と後側板７とを間隔を隔てて連結した筐体Ｂに画像形成部と給紙トレイと用紙搬送部とを収容し、用紙搬送部を装置本体の左右方向一端側に配置し、画像形成部と給紙トレイとを用紙搬送部側に向けて上下に配置し、前側板及び後側板の用紙搬送部側上端角部１７どうしを角部形状に沿った横断面形状のフレーム材９で連結し、手差し用給紙トレイ５を、フレーム材側に格納する格納姿勢とフレーム材側から離間した供給姿勢とに揺動自在に支持してある画像形成装置で、前側板及び後側板の用紙搬送部側上端部を、用紙搬送部よりも高い位置で、側板の上端に亘って用紙受け入れ部側に入り込む形状に形成して、上端角部を用紙受け入れ部側に入り込むように設けてある。【選択図】        図４
2006091689.tif 000002
【特許請求の範囲】
【請求項１】
装置本体の前面側に沿って配置してある前側板と、装置本体の背面側に沿って配置してある後側板とを間隔を隔てて連結してある枠組み状筐体に、画像形成部と、内部給紙トレイと、前記内部給紙トレイの用紙を前記画像形成部に搬送可能な用紙搬送部とを収容し、
前記用紙搬送部を、搬送方向を上方向に向けて、装置本体の左右方向一端側に配置するとともに、前記画像形成部と前記内部給紙トレイとを、前記画像形成部の用紙受け入れ部側と前記内部給紙トレイの用紙送り出し部側とを前記用紙搬送部側に向けて、記載順に上下に配置し、
前記前側板及び前記後側板の前記用紙搬送部側における上端角部どうしを、それらの角部形状に沿った横断面形状のフレーム材で連結し、
前記用紙受け入れ部に装置本体の外側から用紙を供給可能な手差し用給紙トレイを、前記フレーム材側に近接させて格納する格納姿勢と、前記フレーム材側から離間させて用紙を供給可能な供給姿勢とに亘って上下揺動自在に支持してある画像形成装置であって、
前記前側板及び前記後側板の前記用紙搬送部側上端部を、前記用紙搬送部よりも高い位置で、側板の上端に亘って前記用紙受け入れ部側に入り込む形状に形成して、前記上端角部を前記用紙受け入れ部側に入り込むように設けてある画像形成装置。
【請求項２】
前記前側板及び前記後側板の前記用紙搬送部側上端部の形状を曲線状に形成してある請求項１記載の画像形成装置。
【請求項３】
前記前側板及び前記後側板の前記用紙搬送部側下端部を、前記用紙搬送部よりも低い位置で、側板の下端に亘って前記用紙送り出し部側に入り込む形状に形成してある請求項１又は２記載の画像形成装置。
【請求項４】
前記前側板及び前記後側板の前記用紙搬送部側下端部の形状を曲線状に形成してある請求項３記載の画像形成装置。
【請求項５】
前記前側板及び前記後側板の前記用紙搬送部側端部に沿ってフランジを設けてある請求項１〜４のいずれか１項記載の画像形成装置。
【発明の詳細な説明】
【技術分野】
【０００１】
本発明は、装置本体の前面側に沿って配置してある前側板と、装置本体の背面側に沿って配置してある後側板とを間隔を隔てて連結してある枠組み状筐体に、画像形成部と、内部給紙トレイと、前記内部給紙トレイの用紙を前記画像形成部に搬送可能な用紙搬送部とを収容し、前記用紙搬送部を、搬送方向を上方向に向けて、装置本体の左右方向一端側に配置するとともに、前記画像形成部と前記内部給紙トレイとを、前記画像形成部の用紙受け入れ部側と前記内部給紙トレイの用紙送り出し部側とを前記用紙搬送部側に向けて、記載順に上下に配置し、前記前側板及び前記後側板の前記用紙搬送部側における上端角部どうしを、それらの角部形状に沿った横断面形状のフレーム材で連結し、前記用紙受け入れ部に装置本体の外側から用紙を供給可能な手差し用給紙トレイを、前記フレーム材側に近接させて格納する格納姿勢と、前記フレーム材側から離間させて用紙を供給可能な供給姿勢とに亘って上下揺動自在に支持してある画像形成装置に関する。
【背景技術】
【０００２】
上記画像形成装置は、手差し用給紙トレイで装置本体の外側から画像形成部の用紙受け入れ部に用紙を供給できるように、用紙搬送部を、搬送方向を上方向に向けて、装置本体の左右方向一端側に配置するとともに、画像形成部と内部給紙トレイとを、画像形成部の用紙受け入れ部側と内部給紙トレイの用紙送り出し部側とを用紙搬送部側に向けて、記載順に上下に配置して、前側板と後側板とを間隔を隔てて連結してある枠組み状筐体に収容してある。
従来の画像形成装置は、前側板及び後側板の外周形状を、左右の側辺部が全長に亘って互いに略平行な四角形に形成し、その前側板及び後側板の用紙搬送部側における上端角部どうしを、それらの角部形状に沿った略Ｌ字形横断面形状のフレーム材で連結して筐体の変形を防止してあり（例えば、特許文献１参照）、手差し用給紙トレイを、そのフレーム材側に近接させて格納する格納姿勢と、フレーム材側から離間させて用紙を供給可能な供給姿勢とに亘って上下揺動自在に支持している。
【０００３】
【特許文献１】特開２００３−６６６７１号公報
【発明の開示】
【発明が解決しようとする課題】
【０００４】
このため、手差し用給紙トレイを、フレーム材側に近接させて格納する格納姿勢に切り換えても、用紙受け入れ部側に入り込ませる状態でコンパクトに格納することができない欠点がある。
この欠点を解決するために、手差し用給紙トレイが格納姿勢で前側板と後側板との間に入り込むように、例えば角部形状に沿った横断面形状のフレーム材に切欠きを設けることが考えられるが、この場合は、フレーム材の強度を確保できるように、フレーム材の切欠き部に沿って補強用のフランジを新たに設けるなどの対策が必要で、従来のフレーム材を使用できなくなり、製作コストが高くなる欠点が新たに生じる。
本発明は上記実情に鑑みてなされたものであって、フレーム材の寸法や形状を特に変更することなく、手差し用給紙トレイを、用紙受け入れ部側に入り込ませる状態でコンパクトに格納できるようにすることを目的とする。
【課題を解決するための手段】
【０００５】
本発明の第１特徴構成は、装置本体の前面側に沿って配置してある前側板と、装置本体の背面側に沿って配置してある後側板とを間隔を隔てて連結してある枠組み状筐体に、画像形成部と、内部給紙トレイと、前記内部給紙トレイの用紙を前記画像形成部に搬送可能な用紙搬送部とを収容し、前記用紙搬送部を、搬送方向を上方向に向けて、前記筐体の左右方向一端側に配置するとともに、前記画像形成部と前記内部給紙トレイとを、前記画像形成部の用紙受け入れ部側と前記内部給紙トレイの用紙送り出し部側とを前記用紙搬送部側に向けて、記載順に上下に配置し、前記前側板及び前記後側板の前記用紙搬送部側における上端角部どうしを、それらの角部形状に沿った横断面形状のフレーム材で連結し、前記用紙受け入れ部に装置本体の外側から用紙を供給可能な手差し用給紙トレイを、前記フレーム材側に近接させて格納する格納姿勢と、前記フレーム材側から離間させて用紙を供給可能な供給姿勢とに亘って上下揺動自在に支持してある画像形成装置であって、
前記前側板及び前記後側板の前記用紙搬送部側上端部を、前記用紙搬送部よりも高い位置で、側板の上端に亘って前記用紙受け入れ部側に入り込む形状に形成して、前記上端角部を前記用紙受け入れ部側に入り込むように設けてある点にある。
【０００６】
〔作用及び効果〕
つまり、内部給紙トレイの用紙をその上部の画像形成部に搬送可能な用紙搬送部を、筐体の左右方向一端側に配置してあるので、筐体の用紙搬送部側上端部を用紙受け入れ部側に入り込ませても、用紙を画像形成部に搬送する上で支障が生じにくい点に着目し、前側板及び後側板の用紙搬送部側上端部を、用紙搬送部よりも高い位置で、側板の上端に亘って用紙受け入れ部側に入り込む形状に形成して、前側板及び後側板の用紙搬送部側における上端角部を、用紙受け入れ部側に入り込むように設けてあるので、それらの角部形状に沿った横断面形状のフレーム材を、用紙受け入れ部側に入り込ませて、上端角部どうしを連結することができる。
従って、フレーム材を、その寸法や形状を特に変更することなく、用紙受け入れ部側に入り込ませて、前側板及び後側板の用紙搬送部側における上端角部どうしを連結することができ、手差し用給紙トレイを、フレーム材側に近接させて格納する格納姿勢で、用紙受け入れ部側に入り込ませる状態でコンパクトに格納できる。
【０００７】
本発明の第２特徴構成は、前記前側板及び前記後側板の前記用紙搬送部側上端部の形状を曲線状に形成してある
【０００８】
〔作用及び効果〕
前側板及び後側板の用紙搬送部側上端部の形状を曲線状に形成してあるので、応力集中が生じにくく、筐体の強度を確保し易い。
【０００９】
本発明の第３特徴構成は、前記前側板及び前記後側板の前記用紙搬送部側下端部を、前記用紙搬送部よりも低い位置で、側板の下端に亘って前記用紙送り出し部側に入り込む形状に形成してある点にある。
【００１０】
〔作用及び効果〕
つまり、内部給紙トレイの用紙をその上部の画像形成部に搬送可能な用紙搬送部を、筐体の左右方向一端側に配置してあるので、筐体の用紙搬送部側下端部を用紙送り出し部側に入り込ませても、用紙を画像形成部に搬送する上で支障が生じにくい点に着目し、前側板及び後側板の用紙搬送部側下端部を、用紙搬送部よりも低い位置で、側板の下端に亘って用紙送り出し部側に入り込む形状に形成してあるので、狭い床面積でも設置し易いように、筐体の用紙搬送部側下端部を用紙送り出し部側に入り込ませることができる。
【００１１】
本発明の第４特徴構成は、前記前側板及び前記後側板の前記用紙搬送部側下端部の形状を曲線状に形成してある点にある。
【００１２】
〔作用及び効果〕
前側板及び後側板の用紙搬送部側下端部の形状を曲線状に形成してあるので、応力集中が生じにくく、筐体の強度を確保し易い。
【００１３】
本発明の第５特徴構成は、前記前側板及び前記後側板の前記用紙搬送部側端部に沿ってフランジを設けてある点にある。
【００１４】
〔作用及び効果〕
前側板及び後側板の用紙搬送部側端部に沿ってフランジを設けてあるので、各側板の用紙搬送部側端部における剛性を高めて、筐体の強度を確保し易い。
【発明を実施するための最良の形態】
【００１５】
以下に本発明の実施の形態を図面に基づいて説明する。
図１〜図５は本発明によるコピー機やプリンターなどの画像形成装置を示し、図１は画像形成装置の内部を示し、図２〜図５は、画像形成装置の内部機器１，２，３を収容してある装置本体Ａの鋼製枠組み状筐体Ｂを示している。
【００１６】
前記画像形成装置は、図１に示すように、自動原稿送り装置４を上面側に揺動自在に備えた装置本体Ａの内部に、画像形成部１や複数の内部給紙トレイ２，各内部給紙トレイ２の用紙を画像形成部１に搬送可能な用紙搬送部３などの内部機器を設け、装置本体Ａの横側上部には、画像形成部１の用紙受け入れ部１ａに装置本体Ａの外側から用紙を供給可能な手差し用給紙トレイ５を、装置本体Ａ側に近接させて格納する格納姿勢と、装置本体Ａ側から離間させて用紙を供給可能な供給姿勢とに亘って上下揺動自在に支持してある。
【００１７】
前記用紙搬送部３は、用紙搬送方向を上方向に向けて、装置本体Ａの左右方向一端側、つまり、手差し用給紙トレイ５側に配置してあり、画像形成部１と各内部給紙トレイ２とを、画像形成部１の用紙受け入れ部１ａ側と各内部給紙トレイ２の用紙送り出し部２ａ側とを用紙搬送部３側に向けて、記載順に上下に配置してある。
【００１８】
前記画像形成部１や複数の内部給紙トレイ２，用紙搬送部３などの内部機器を収容する枠組み状筐体Ｂは、図２，図３に示すように、装置本体Ａの前面側に沿って配置してある前側板６と、装置本体Ａの背面側に沿って配置してある後側板７とを、ベース部材８や横フレーム材９，１０，１１などで間隔を隔てて連結して構成してあり、筐体Ｂの左右方向一端の外面側に手差し用給紙トレイ５を横軸芯Ｘ周りで上下揺動自在に支持できるように構成してある。
【００１９】
前記枠組み状筐体Ｂは主として板金製部材を溶接で接合して組み立ててあり、キャスター１２や設置高さ調節用のアジャスター１３を備えたベース部材８の前面側に前側板６を垂直に固定するとともに、ベース部材８の背面側に後側板７を前側板６と略平行な姿勢で垂直に固定してある。
【００２０】
前記前側板６は、内部機器１，２，３の保守点検や内部給紙トレイ２の出し入れなどができるように上下に大きな開口１４，１５を備えた枠状に形成してあり、後側板７は、その上下方向中間部の外面側に補強用横フレーム１６を固定してあり、前側板６及び後側板７の外周部を外向きに折り曲げて、略全周に亘って補強用のフランジ６ａ，６ｂ，６ｃ，６ｄ，７ａ，７ｂ，７ｃ，７ｄを設け、これらのフランジ６ａ〜６ｄ，７ａ〜７ｄにベース部材８や横フレーム材９〜１１などを固定して、前側板６と後側板７とを間隔を隔てて連結してある。
【００２１】
つまり、前側板６と後側板７の左右の上端角部１７，１８どうしを横断面形状が略Ｌ字形の第１，第２横フレーム材９，１０で連結して、第１横フレーム材９と第２横フレーム材１０との間に上板部材１９を取り付けると共に、前側板６と後側板７の上下方向中間どうしを、第１横フレーム材９の下方の第３横フレーム材１１と、第２横フレーム材１０の下方の中間側板２０と、上板部材１９の下方の中間板材２１で連結してある。
【００２２】
また、前側板６と後側板７の用紙搬送部３側下端部の夫々を、用紙搬送部３よりも低い位置で、各側板６，７の下端に亘って内部給紙トレイ２における用紙送り出し部２ａ側に入り込む滑らかな曲線形状に形成して、各下端角部２２を用紙送り出し部２ａ側に入り込むように設け、図４，図５にも示すように、前側板６と後側板７の用紙搬送部３側上端部の夫々を、用紙搬送部３よりも高い位置で、各側板６，７の上端に亘って画像形成部１における用紙受け入れ部１ａ側に入り込む滑らかな曲線形状に形成して、各上端角部１７を用紙受け入れ部１ａ側に入り込むように設けてある。
【００２３】
そして、前側板６と後側板７の左右方向一端側、つまり、用紙搬送部３側の上部角部１７どうしを、それらの角部形状に沿った略Ｌ字形横断面形状の第１横フレーム材９で連結して、手差し用給紙トレイ５を、用紙受け入れ部１ａ側に入り込ませる状態で、第１横フレーム材９側に近接させてコンパクトに格納する格納姿勢と、第１横フレーム材９側から離間させて用紙を供給可能な供給姿勢とに亘って上下揺動自在に、筐体Ｂに支持してある。
【００２４】
〔その他の実施形態〕
１．本発明による画像形成装置は、手差し用給紙トレイを、筐体の外面側に固定した外装板などの外装部材に上下揺動自在に支持してあっても良い。
２．本発明による画像形成装置は、前側板及び後側板の用紙搬送部側上端部を、用紙搬送部よりも高い位置で、側板の上端に亘って用紙受け入れ部側に略直角に入り込むＬ字形状に形成して、上端角部を用紙受け入れ部側に入り込むように設けてあっても良い。
３．本発明による画像形成装置は、前側板及び後側板の用紙搬送部側下端部を、用紙搬送部よりも低い位置で、側板の下端に亘って用紙送り出し部側に略直角に入り込むＬ字形状に形成して、下端角部を用紙送り出し部側に入り込むように設けてあっても良い。
４．本発明による画像形成装置は、コピー機やプリンターなどの他、ファクシミリであっても良い。
【図面の簡単な説明】
【００２５】
【図１】画像形成装置の内部を示す正面図
【図２】枠組み状筐体を正面側から見た斜視図
【図３】枠組み状筐体を背面側から見た斜視図
【図４】要部の斜視図
【図５】要部の側面図
【符号の説明】
【００２６】
１    画像形成部
１ａ  用紙受け入れ部
２    内部給紙トレイ
２ａ  用紙送り出し部
３    用紙搬送部
５    手差し用給紙トレイ
６    前側板
６ａ  フランジ
７    後側板
７ａ  フランジ
９    フレーム材
１７  上端角部
Ａ    装置本体
Ｂ    筐体
【図１】
2006091689.tif 000003
【図２】
2006091689.tif 000004
【図３】
2006091689.tif 000005
【図４】
2006091689.tif 000006
【図５】
2006091689.tif 000007